(57)【要約】      （修正有）【課題】経済性に富み、固定刃の交換作業が簡便な、固体刃の取付構造、チップ状の固定刃及び破砕装置を提供する。【解決手段】所定の軸心周りに回転する破砕ロータの周面に配列固定された複数の回転刃の回動経路に配置され、回転刃と噛み合って被破砕物を剪断破砕する固定刃８の取付構造であって、破砕ロータの軸心方向に沿って複数の固定刃８が配列された複数の固定刃支持部材１２を、破砕ロータと対向配置された台盤５の段差部に固定刃８が回転刃と対向するように配列してボルト固定し、破砕ロータと当接することなく固定刃支持部材１２を前記段差部から離脱させるための案内部を備える。【選択図】図４
2010017638.tif 000002
【特許請求の範囲】
【請求項１】
所定の軸心周りに回転する破砕ロータの周面に配列固定された複数の回転刃の回動経路に配置され、前記回転刃と噛み合って被破砕物を剪断破砕する固定刃の取付構造であって、
前記破砕ロータの軸心方向に沿って複数の固定刃が配列された固定刃支持部材を、前記破砕ロータと対向配置された台盤の段差部に前記固定刃が前記回転刃と対向するように配列して固定し、前記固定刃支持部材を前記段差部から離脱させるための案内部を備えている固定刃の取付構造。
【請求項２】
前記案内部が、前記固定刃支持部材の背面下部が前記破砕ロータ側に傾斜する面取り部で構成されている請求項１記載の固定刃の取付構造。
【請求項３】
前記案内部が、前記固定刃支持部材の背面と前記段差部の立上がり面との間に着脱自在に固定されるスペーサブロックで構成されている請求項１記載の固定刃の取付構造。
【請求項４】
固定刃支持部材は複数の固定刃を各別に収容する凹状の取付座が配列形成され、各取付座に収容されたチップ状の固定刃が前記固定刃支持部材の裏面からボルト固定されている請求項１から３の何れかに記載の固定刃の取付構造。
【請求項５】
前記回転刃と前記固定刃は夫々山形状の刃部を備え、前記回転刃と前記固定刃の刃部が傾斜姿勢で噛み合うように前記固定刃が配置され、前記破砕ロータの回転に伴なう前記回転刃の刃部の軌跡と前記固定刃の刃部との間隙が前記固定刃の刃幅の中央部で最小となるように前記固定刃の各刃部が直線状に形成されている請求項４記載の固定刃の取付構造。
【請求項６】
前記固定刃が、表面及び裏面が側面と交差するエッジ部により前記刃部が形成された角柱で構成され、前記取付座への収容姿勢を識別する識別手段が形成されている請求項４または５記載の固定刃の取付構造。
【請求項７】
前記取付座は、前記回転刃の一方の刃部が前記固定刃部の一方の刃部に対して刃元から噛み合い、前記回転刃の他方の刃部が前記固定刃の他方の刃部に対して刃先から噛み合うように、隣接する固定刃のすくい面が異なる角度で配置されるように形成されている請求項４から６の何れかに記載の固定刃の取付構造。
【請求項８】
前記固定刃支持部材に、前記台盤に対して前記固定刃支持部材を装脱するための操作治具と噛合する取付穴が背面側に傾斜するように形成されている請求項１から７の何れかに記載の固定刃の取付構造。
【請求項９】
請求項１から８の何れかに記載の固定刃の取付構造に組み込まれる固定刃支持部材。
【請求項１０】
請求項１から８の何れかに記載の固定刃の取付構造に組み込まれるチップ状の固定刃。
【請求項１１】
表面及び裏面が側面と交差するエッジ部により四対の刃部が形成された角柱で構成された請求項１０記載のチップ状の固定刃。
【請求項１２】
請求項１から８の何れかに記載の固定刃の取付構造を備えた破砕装置。
【発明の詳細な説明】
【技術分野】
【０００１】
本発明は、所定の軸心周りに回転する破砕ロータの周面に配列固定された複数の回転刃の回動経路に配置され、前記回転刃と噛み合って被破砕物を剪断破砕する固定刃の取付構造、チップ状の固定刃及び破砕装置に関する。
【背景技術】
【０００２】
従来、破砕装置は、軸心方向に配列された複数の回転刃が周面に固定された破砕ロータと、前記破砕ロータの回転に伴なって前記回転刃と噛み合う複数の固定刃が、前記軸心に沿って対向配置され、前記回転刃と前記固定刃の剪断作用によって被破砕物を破砕するように構成されている。
【０００３】
特許文献１には、図１１に示すように、破砕ロータの外周面に一定の位相差をもってつるまき状に配列された正方形断面の角柱状に形成された複数の回転刃と噛み合うように、三角状の固定刃部８１が長尺板状の部材に複数個形成され、全体として鋸刃状に形成された固定刃８０が開示されている。
【０００４】
固定刃８０は台盤８２の段差部にボルト８３を介して着脱自在に取付固定され、両面に固定刃部８１を形成することで表裏反転して使用可能なように構成されている。
【０００５】
しかし、固定刃部８１のみならず固定刃８０の全体を工具鋼や超硬合金等の高価な材料で一体形成する構成では、上述のように固定刃８０を表裏反転して使用可能とはいえ、複数の固定刃部８１のうち一部が磨耗したり破損したりして被破砕物の破砕に支障をきたすと、残りの固定刃部８１が充分使用できる状態であっても固定刃８０ごと交換する必要があるため不経済であった。
【０００６】
しかも、固定刃は、固定刃のすくい面と回転刃のすくい面とが剪断開始時において或る剪断角度をなすように、水平軸線に対して破砕ロータの回転軸心に向かって前下がり状に傾斜配置され、かつ、固定刃のすくい面が回転軸の回転軸線に対して所定の距離分ずらした位置の段差部に当接して固定する構成であるため、固定刃を離脱する際に、前記固定刃の背面下部が段差部に干渉するため交換作業も煩雑であった。
【０００７】
そこで本出願人は、特許文献２において、図１２に示すように、鋼製の固定用基材９０と超硬合金製の刃先部材９１を、銅などの接合用金属で上下一体に接合し、ザグリを備えたボルト孔９２が貫通形成された複数の固定刃体９３を、回動刃体の回動経路の間ごとに入り込むように基台フレーム９４に六角穴付きボルト９５を介して各別に着脱可能に固定した破砕装置の固定刃の取付構造を提案した。
【特許文献１】特開２０００−３２５８１０号公報
【特許文献２】特開２００４−８９８７６号公報
【発明の開示】
【発明が解決しようとする課題】
【０００８】
特許文献２に記載された破砕装置の固定刃の取付構造によれば、複数の固定刃体９３のうち一部が磨耗したり破損したりして交換する必要がある場合は、その固定刃体９３のみを交換して運転することができ、しかも、固定刃体９３の交換作業も簡便に行うことができるが、固定刃体９３の製作コストが高く、固定刃体９３側から基台フレーム９４にボルト９５で固定する構成のため、表裏を入れ替えて使用することができないのでランニングコストも高く、また、破砕装置の運転時に被破砕物がボルト９５の六角穴や、ボルト孔９２のザグリ部分に詰まり、交換作業時にはそれらを取り除く手間が必要である点で改良が望まれていた。
【０００９】
本発明は上述した問題点に鑑み、経済性に富み、固定刃の交換作業が簡便な、固定刃の取付構造、固定刃支持部材、チップ状の固定刃及び破砕装置を提供することを目的とする。
【課題を解決するための手段】
【００１０】
上述の目的を達成するため、本発明による固定刃の取付構造の第一特徴構成は、特許請求の範囲の書類の請求項１に記載した通り、所定の軸心周りに回転する破砕ロータの周面に配列固定された複数の回転刃の回動経路に配置され、前記回転刃と噛み合って被破砕物を剪断破砕する固定刃の取付構造であって、前記破砕ロータの軸心方向に沿って複数の固定刃が配列された固定刃支持部材を、前記破砕ロータと対向配置された台盤の段差部に前記固定刃が前記回転刃と対向するように配列して固定し、前記固定刃支持部材を前記段差部から離脱させるための案内部を備えている点にある。
【００１１】
上述の構成によれば、固定刃を破砕ロータの回転軸心より下方に設置し、回転刃と固定刃のすくい面が所定の仰角をもって噛み合うような場合でも、案内部により、回転刃と固定刃が接触するのを回避して、固定刃支持部材を段差部から離脱できるので交換作業が簡便になる。
【００１２】
同第二の特徴構成は、同請求項２に記載した通り、上述の第一特徴構成に加えて、前記案内部が、前記固定刃支持部材の背面下部が前記破砕ロータ側に傾斜する面取り部で構成されている点にある。
【００１３】
上述の構成によれば、固定刃支持部材の背面下部に形成した面取り部により、台盤に接触することなく着脱できるので交換作業が簡便になる。
【００１４】
同第三の特徴構成は、同請求項３に記載した通り、上述の第一特徴構成に加えて、前記案内部が、前記固定刃支持部材の背面と前記段差部の立上がり面との間に着脱自在に固定されるスペーサブロックで構成されている点にある。
【００１５】
上述の構成によれば、スペーサブロックを取り外すことによってできた固定刃支持部材の背面と段差部の立上がり面との間の空間を利用し、固定刃支持部材を容易に着脱できるので交換作業が簡便になる。
【００１６】
同第四の特徴構成は、同請求項４に記載した通り、上述の第一から第三の何れかの特徴構成に加えて、固定刃支持部材は複数の固定刃を各別に収容する凹状の取付座が配列形成され、各取付座に収容されたチップ状の固定刃が前記固定刃支持部材の裏面からボルト固定されている点にある。
【００１７】
上述の構成によれば、固定刃にはボルトと噛合するメネジのみを形成すればよく、ボルトの頭を収容するザグリを作成する必要が無いので、固定刃の厚みを薄くできる。固定刃は磨耗しても表裏面及び１８０度回転させて使用することができる。固定刃支持部材に工具鋼や超硬合金等の高価な材料を用いる必要がなく、固定刃のみ工具鋼や超硬合金等を用いればよく、また、刃部が磨耗したときであっても、表裏面または１８０度回転させて使用することができるので経済性に優れ、さらに、交換作業も簡便となる。
【００１８】
同第五の特徴構成は、同請求項５に記載した通り、上述の第四特徴構成に加えて、前記回転刃と前記固定刃は夫々山形状の刃部を備え、前記回転刃と前記固定刃の刃部が傾斜姿勢で噛み合うように前記固定刃が配置され、前記破砕ロータの回転に伴なう前記回転刃の刃部の軌跡と前記固定刃の刃部との間隙が前記固定刃の刃幅の中央部で最小となるように前記固定刃の各刃部が直線状に形成されている点にある。
【００１９】
上述の構成によれば、破砕ロータの回転に伴なって回転する回転刃と固定刃との間で剪断破砕されるにあたり、被破砕物に対して刃幅全域に亘って適度な剪断力を得ることができるので、小さなトルクで破砕ロータを回転しながらも、極めて円滑に破砕できる。
【００２０】
同第六の特徴構成は、同請求項６に記載した通り、上述の第四または第五特徴構成に加えて、前記固定刃が、表面及び裏面が側面と交差するエッジ部により前記刃部が形成された角柱で構成され、前記取付座への収容姿勢を識別する識別手段が形成されている点にある。
【００２１】
上述の構成によれば、固定刃は識別手段によって取付座への収容姿勢が容易に識別でき、また異なる形状の固定刃には異なる識別手段を形成することで、固定刃の種類を識別できる。
【００２２】
同第七の特徴構成は、同請求項７に記載した通り、上述の第四から第六のいずれかの特徴構成に加えて、前記取付座は、前記回転刃の一方の刃部が前記固定刃部の一方の刃部に対して刃元から噛み合い、前記回転刃の他方の刃部が前記固定刃の他方の刃部に対して刃先から噛み合うように、隣接する固定刃のすくい面が異なる角度で配置されるように形成されている点にある。
【００２３】
上述の構成によれば、先ず、前記回転刃の一方の刃部が前記固定刃部の一方の刃部に対して刃元から噛み合い、次に、前記回転刃の他方の刃部が前記固定刃の他方の刃部に対して刃先から噛み合うようになるので、被破砕物に対して常に一点で鋏のように力が作用するため、小さなトルクで破砕ロータを回転しながらも、極めて円滑に破砕できるようになり、振動や騒音を低減できるばかりか動力コストも低減できるようになる。
【００２４】
同第八の特徴構成は、同請求項８に記載した通り、上述の第一から第七のいずれかの特徴構成に加えて、前記固定刃支持部材に、前記台盤に対して前記固定刃支持部材を装脱するための操作治具と噛合する取付穴が背面側に傾斜するように形成されている点にある。
【００２５】
上述の構成によれば、回転刃と固定刃の接触を回避して、固定刃支持部材を台盤から着脱できるので交換作業が簡便になる。
【００２６】
本発明による固定刃支持部材の特徴構成は、特許請求の範囲の書類の請求項９に記載した通り、上述の第一から第八のいずれかの特徴構成を備えた固定刃の取付構造に組み込まれる点にある。
【００２７】
本発明によるチップ状の固定刃の第一の特徴構成は、特許請求の範囲の書類の請求項１０に記載した通り、上述の第一から第八のいずれかの特徴構成を備えた固定刃の取付構造に組み込まれる点にある。
【００２８】
同第二の特徴構成は、特許請求の範囲の書類の請求項１１に記載した通り、上述の第一特徴構成に加え、表面及び裏面が側面と交差するエッジ部により四対の刃部が形成された角柱で構成された点にある。
【００２９】
上述の構成によれば、一つの固定刃の表裏及び前後を入れ替えることで、新たな刃部を合計四回使用することができる。
【００３０】
本発明による破砕装置の特徴構成は、特許請求の範囲の書類の請求項１２に記載した通り、上述の第一から第八のいずれかの特徴構成を備えた固定刃の取付構造を備えた点にある。
【発明の効果】
【００３１】
以上説明した通り、本発明によれば、経済性に富み、固定刃の交換作業が簡便な、固定刃の取付構造、チップ状の固定刃支持部材、固定刃及び破砕装置を提供することができるようになった。
【発明を実施するための最良の形態】
【００３２】
以下に、本発明による固定刃の取付構造、チップ状の固定刃及び破砕装置の第一の実施形態を説明する。
図１に示すように、破砕装置１は、電化製品、建築廃材、プラスチックなどの被破砕物を投入する受入ホッパ２と、ホッパ２に投入された被破砕物を破砕処理する破砕処理部３と、破砕処理部３に向けて水平方向から被破砕物を押圧する押込プッシャ４を備えている。
【００３３】
押込プッシャ４は、油圧ポンプ（図示せず）からの圧油により伸縮作動する油圧シリンダのピストンに連結されたアーム４ａがプッシャ４の後端に連結され、台盤５上を摺動かつ進退動自在に駆動される。
【００３４】
破砕処理部３は、受入ホッパ２の下方に配置され、電動機Ｍの動力により所定の軸心周りに回転する破砕ロータ６の周面に配列固定された山形状の刃部を備える複数の回転刃７と、回転刃７の回動経路に配置された山形状の刃部を備えた固定刃８が噛み合って、押込プッシャ４により押し込まれる被破砕物を剪断破砕する。
【００３５】
破砕処理部３の下部には、破砕処理部３で所定サイズ以下に破砕された被破砕物を選択的に通過させるスクリーン機構１０と、スクリーン機構１０を通過した被破砕物を受け止める排出ホッパ１１が設けられている。
【００３６】
スクリーン機構１０は、破砕ロータ６の回転軌跡に沿った弧状に湾曲形成され、多数の小孔が形成されたパンチングメタルで構成され、破砕処理部３で破砕された被破砕物のうちスクリーン機構１０の小孔より小径の被破砕物が、スクリーン機構１０から落下して排出ホッパ１１に収容される。
【００３７】
以下、上述の破砕処理部３について詳述する。
回転刃７は、図２（ａ）に示すように、すくい面が正方形の角柱で構成され、破砕ロータ６の周部に所定のピッチで互いに平行に形成された多数のＶ字状の溝６ｖ内に形成された複数個の取付座６ａの夫々にボルト６ｂで締着されている。
【００３８】
図２（ｂ）に示すように、夫々の回転刃７は、隣り合う溝６ｖに設けられているもの同士がその頂点を連ねるとジグザグ状になるように配置されている。図２（ｃ）に示すように、回転刃７の刃先の先端の軌跡が破砕ロータ６の回転軸心から最遠となるよう、回転刃７はすくい面が破砕ロータ６の回転軸心方向に対して角度θ傾斜させて取り付けられている。
【００３９】
固定刃８は、図３（ａ），（ｂ），（ｃ）に示すように、表面及び裏面が側面と交差するエッジ部により刃先の角度がγである四対の刃部が形成された角柱で、被破砕物との摩擦等により刃先及び刃部が鈍ったときは、固定刃８の表裏、前後を入れ替え、四対の刃部のうち新たな刃部により破砕処理が行えるように構成されている。刃元側の側面が交差するエッジに後述する取付座１３への収容姿勢を識別する識別手段としての切り欠き１６が形成されている。
【００４０】
固定刃８は、図４（ａ）に示すように、切り欠き１６が形成されたエッジが固定刃８の刃元側になるように、固定刃支持部材１２の端部に沿って配列形成された複数の凹状の取付座１３に収容され、図４（ｂ）に示すように、各取付座１３の裏面からボルト１４で締着され、固定刃支持部材１２は、固定刃８が回転刃７と対向するように、破砕ロータ６と対向配置された台盤５の段差部に上面からボルト１５で固定される。
【００４１】
取付座１３は、固定刃８の破砕ロータ６と対向しない裏面及び二側面と当接して支持するように凹状に形成されているので、固定刃８の刃先の方向を違えると嵌入できない、又は嵌入できたとしてもガタつくので、作業員は刃先の方向が適切でないことが容易に認識できるので、固定刃の取付時の刃先方向の確認作業が簡便になる。
【００４２】
固定刃８を取付座１３に固定した状態においては、ボルト先端面が固定刃と略面一とすることで、ボルト孔に被破砕物が引っ掛かったり挟まったりして、メネジが変形したり破損したりせず、表裏面を入れ替えて使用するときに、ボルトの着脱が容易となる。
【００４３】
図５に示すように、回転刃７と固定刃８の刃部が角度δ傾斜して噛み合うように固定刃８を配置すると、図６（ａ），（ｂ）に示すように、固定刃８の刃部８’，８’’に対する破砕ロータ６の回転に伴なう刃先角度が９０度の回転刃７の刃部７’，７’’の軌跡は曲線となる。
【００４４】
図６（ａ）に示すように、固定刃８の刃先角度が９０度であれば、回転刃７の刃部７’，７’’の軌跡と固定刃８の刃部８’，８’’との間隙は、回転刃７の刃元側が小さくなり、刃先側が大きくなり、剪断力は刃元側に偏って生じることとなる。
【００４５】
そこで、図６（ｂ）に示すように、前記間隙が固定刃８の刃部８’，８’’の刃幅の中央部で最小となるように固定刃８の刃先角度γを設定すると前記間隙の偏りが減少し、刃幅の中央部で最大の剪断力を得る。なお、前記角度δを略１４．７度に設定したとき、刃先角度γは略８５度となる。
【００４６】
上述の構成により、押込プッシャ４により破砕処理部３に向けて押圧された被破砕物が、破砕ロータ６の回転に伴なって回転する回転刃７と固定刃８との間で剪断破砕されるにあたり、被破砕物に対して常に一点で力が作用するため、小さなトルクで破砕ロータ６を回転しながらも、極めて円滑に破砕できるようになり、振動や騒音を低減できるばかりか動力コストも低減できるようになる。
【００４７】
次に、固定刃８の交換作業について説明する。
図４（ｂ）に示すように、固定刃支持部材１２の背面の下部は破砕ロータ６側に案内部として面取りが形成されており、上面には台盤５に装脱するための操作治具としての寸切りボルト１８を噛合可能なボルト穴１７が背面側に傾斜するように形成されている。
【００４８】
固定刃８の磨耗や欠損により、固定刃の交換作業をする際は、図７（ａ）に示すように、固定刃支持部材１２を台盤５に固定するボルト１５を取り外すとともに、ボルト穴１７に寸切りボルト１８を係合する。その後、図７（ｂ）に示すように、寸切りボルト１８を起立させ、固定刃支持部材１２を台盤５から離間させ、図７（ｃ）に示すように、固定刃支持部材１２を台盤５から引き上げる。このように、固定刃支持部材１２は固定刃８と回転刃７が接触することなく容易に着脱できる。固定刃８は、ボルト１４を取り外し交換することとなる。
【００４９】
このように、固定刃支持部材１２の背面の下部は破砕ロータ６側に面取りされているため、回転刃７と固定刃８の接触を防ぎながら、固定刃支持部材１２の取り外し作業が容易となる。
【００５０】
また、新たな固定刃を締着済みの交換用の固定刃支持部材を準備しておけば、固定刃支持部材を交換するだけで、固定刃の交換作業を待たずに、運転を即座に再開できる。
【００５１】
なお、案内部は固定刃支持部材１２の背面の下部は破砕ロータ６側に面取りした構成に限らず、図４（ｃ）に示すように、固定刃支持部材１２の背面の下部に切り欠き２６を形成する構成や、図４（ｄ）に示すように、固定刃支持部材１２の背面に、スペーサ２４をボルト２５で台盤５に固定する構成でもよい。
【００５２】
この場合、図７（ｄ）に示すように、ボルト２５を取り外しスペーサ２４を台盤５から取り外し、固定刃支持部材１２を台盤５に固定するボルト１５を取り外すとともに、ボルト穴１７に寸切りボルト１８を係合する。その後、図７（ｅ）に示すように、固定刃支持部材１２を破砕ロータ６と反対側にずらし、図７（ｃ）に示すように、固定刃支持部材１２を台盤５から引き上げる。
【００５３】
このように、案内部を備えることで固定刃支持部材１２は固定刃８と回転刃７が接触することなく容易に着脱できる。固定刃８は、ボルト１４を取り外し交換することとなる。よって、寸切りボルト１８を噛合可能なボルト穴１７は背面側に傾斜して形成する必要は無い。
【００５４】
以下に、本発明による固定刃の取付構造、チップ状の固定刃及び破砕装置の第二の実施形態を説明する。
第一の実施形態では、固定刃支持部材１２に４個の固定刃８を水平に支持する場合について説明したが、固定刃支持部材には固定刃を必ずしも水平に取り付ける必要は無く、図１０（ａ）に示すように、すくい面が水平な固定刃８と、すくい面が水平から所定の仰角をもった固定刃９を交互に備えた固定刃支持部材１９であってもよい。
【００５５】
この場合、固定刃９には、図３（ｄ），（ｅ），（ｆ）に示すように、表面及び裏面が側面と交差するエッジ部により角度ηをもって刃部が形成された角柱で構成され、刃元側の側面が交差するエッジに後述する取付座２０への収容姿勢を識別するとともに、固定刃８と識別する識別手段としての切り欠き２１が形成されている。
【００５６】
固定刃８，９は、図１０（ａ）に示すように、切り欠き１６，２１が形成されたエッジが固定刃８，９の刃元側になるように、固定刃支持部材１９の端部に沿って配列形成された複数の凹状の取付座１３，２０に収容され、図１０（ｂ）に示すように、各取付座１３，２０の裏面からボルト１４で締着され、固定刃支持部材１９は、固定刃８，９が回転刃７と対向するように、破砕ロータ６と対向配置された台盤５に上面からボルト１５で固定される。このとき固定刃８，９に形成した切り欠き１６，２１と対応する識別手段２２，２３を各取付座１３，２０に夫々形成しておくことで固定刃８，９の取付姿勢の識別が容易となる。
【００５７】
なお、取付座１３の仰角βは０度に設定され、取付座２０の仰角αは、２０度から３０度の範囲、好ましくは２０度から２５度の範囲、さらに好ましくは略２３度に設定されている。
【００５８】
取付座１３，２０は夫々固定刃８，９の破砕ロータと対向しない裏面及び二側面と当接して支持するように凹状に形成されているので、固定刃８，９は夫々刃先の方向、若しくは固定刃８，９自体を違えると嵌入できない、又は嵌入できたとしてもガタつくので、作業員は刃先の方向が適切でないことが容易に認識できるので、固定刃の取付時の刃先方向の確認作業が簡便になる。
【００５９】
図１０（ａ）に示すように、破砕ロータ６の軸心方向に配列された複数の回転刃７の刃部７’，７’’に対応して、仰角が異なる固定刃８，９が配列されることとなる。つまり、隣接する固定刃８の一方の刃部８’と固定刃９の一方の刃部９’’の組合せ、及び、固定刃８の他方の刃部８’’と固定刃９の他方の刃部９’の噛合わせにより、破砕処理が行われることとなる。
【００６０】
破砕ローラ６に固定された回転刃７は破砕ローラ６の回転に伴なって、仰角が角度αに設定された固定刃９に対し刃元から刃先にかけて噛み合い、その後、仰角が水平に設定された固定刃８に対して刃先から刃元にかけて噛み合うこととなる。
【００６１】
上述の回転刃７の刃部７’，７’’の軌跡と固定刃８との刃部８’，８’’の間隙と刃先角度の関係と同じく、回転刃７の刃部７’，７’’の軌跡と固定刃９の刃部９’，９’’との間隙は、前記間隙が固定刃９の刃部９’，９’’の刃幅の中央部で最小となるように固定刃９の刃先角度ηを設定すると前記間隙の偏りが減少し、刃幅の中央部で最大の剪断力を得る。なお、前記角度αを略２３度に設定したとき、刃先角度ηは略９０．９度となる。
【００６２】
この第二の実施形態のように隣り合う固定刃の仰角を異ならせ、一方の固定刃には回転刃が刃元から、他方の固定刃には回転刃が刃先から噛み合うような場合、必ずしも回転刃の刃部の軌跡と固定刃の刃部との間隙が、固定刃の刃幅の中央部で最小となるように設定しなくてもよい。
【００６３】
例えば、図１０（ｂ）に示すように、仰角αに設定された固定刃９に対して回転刃７は刃元から刃先にかけて噛み合うため、前記間隙を回転刃７の刃元に近いほうが最小となるように構成し、図１０（ｃ）に示すように、仰角βに設定された固定刃８に対して回転刃７は刃先から刃元にかけて噛み合うために、前記間隙を回転刃７の刃先に近いほうが最小となるように構成してもよい。
【００６４】
このように構成すると、固定刃８，９の夫々に回転刃７が噛み合いはじめに剪断力を強く働かせることができるので、被破砕物を逃がすことなく効率よく破砕できる。逆に、シート状の被破砕物を処理する場合には、固定刃８，９の夫々と回転刃７の噛合い終わりに剪断力を強く働かせることで効率よく破砕できるようになる。このように前記間隙の最小となる位置は被破砕物によって適宜最適に設定される。
【００６５】
上述のように構成すると、固定刃支持部材には工具鋼や超硬合金等の高価な材料を用いる必要がなく、固定刃のみ工具鋼や超硬合金等を用いればよく、また、刃部が磨耗したときであっても、容易に交換することができるようになる。
【００６６】
刃先角度γ，η、仰角α，β、傾斜角度θ，δは上述の例に限られず、夫々の具体的な角度は、破砕ロータ、回転刃、固定刃等との位置関係で導かれるものであり、各刃部によって被破砕物を剪断する際に、常に一点で鋏のように力が作用し、小さなトルクで破砕ロータを回転しながらも、極めて円滑に破砕できる角度が適宜設定される。
【００６７】
上述の実施形態では、固定刃支持部材１２に固定刃８を４個備えた構成について説明したが、固定刃支持部材１２に備える固定刃８の個数は、４個に限らず２個や７個であってもよい。固定刃支持部材の取り外し作業が煩雑にならないように適宜設定される。
【００６８】
上述の実施形態では、固定刃のエッジに形成した切り欠きを識別手段とした構成について説明したが、識別手段は切り欠きに限らず、さらに、必ずしもエッジに形成する必要も無く、刻印、塗装その他、取付座への収容姿勢及び、固定刃の相違を識別可能なものであればよい。具体的には、図９に示すように、取付座１３，２０の角部に突起部２７を形成し、固定刃８，９に形成した識別手段としての面取り部２８と係合することで取付座１３，２０への収容可能となる構成であってもよい。これにより、突起部２７と面取り部２８の係合により容易に刃先方向が識別でき、さらに、面取り部が形成されていない固定刃の使用が困難となる。
【００６９】
上述した実施形態では、台盤５に段差部を形成し、固定刃支持部材１２を固定する構成について説明したが、台盤５と固定刃支持部材１２を固定する部材を別体で形成し、段差部とする構成であってもよい。
【００７０】
上述した実施形態では、固定刃をチップ状に形成し、固定刃支持部材に固定する構成について説明したが、複数個の三角状の固定刃を長尺板状の固定刃支持部材に一体形成し、全体として鋸刃状の固定刃とする構成であってもよい。
【００７１】
上述の実施形態では、固定刃を固定刃支持部材の裏面からボルトで固定する構成について説明したが、固定刃にボルトの頭を収容可能な座ぐりを形成し、固定刃側から固定刃支持部材にボルトで固定するように構成してもよい。
【００７２】
以上の構成により、所定の軸心周りに回転する破砕ロータの周面に配列固定された複数の回転刃の回動経路に配置され、前記回転刃と噛み合って被破砕物を剪断破砕する固定刃の取付構造であって、前記破砕ロータの軸心方向に沿って複数の固定刃が配列された固定刃支持部材を、前記破砕ロータと対向配置された台盤の段差部に前記固定刃が前記回転刃と対向するように配列して固定し、前記固定刃支持部材を前記段差部から離脱させるための案内部を備えている固定刃の取付構造が実現されるのである。
【００７３】
以上説明した破砕処理部を構成する回転刃、固定刃及び取付座や、固定刃の取付構造、固定刃支持部材及び破砕装置の具体的構成は実施形態の記載に限定されるものではなく、本発明による作用効果を奏する範囲において適宜変更設計可能であることはいうまでもない。
【図面の簡単な説明】
【００７４】
【図１】本発明による破砕装置の概略図
【図２】（ａ）は破砕ロータの要部拡大図、（ｂ）は破砕ロータの概略図
【図３】（ａ）は固定刃の平面図、（ｂ）は固定刃の正面図、（ｃ）は固定刃の右側面図、（ｄ）は第二の実施形態による固定刃の平面図、（ｅ）は第二の実施形態による固定刃の正面図、（ｆ）は第二の実施形態による固定刃の右側面図
【図４】（ａ）は固定刃支持部の概略図、（ｂ）は固定刃支持部の断面図、（ｃ）は固定刃支持部の断面図、（ｄ）は固定刃支持部の断面図
【図５】破砕処理部の説明図
【図６】（ａ）は回転刃の刃部と固定刃の刃部の説明図、（ｂ）回転刃の刃部と固定刃の刃部の説明図
【図７】（ａ）は第二の実施形態による固定刃支持部の概略図、（ｂ）は第二の実施形態による固定刃支持部の断面図
【図８】（ａ）は第二の実施形態による固定刃支持部の斜視図、（ｂ）は第二の実施形態による固定刃支持部に固定刃を取り付ける説明図、（ｃ）は第二の実施形態による、固定刃のすくい角の説明図
【図９】別実施形態による識別手段を備えた固定刃及び固定刃支持部材の説明図
【図１０】（ａ）は第二の実施形態による回転刃の刃部と固定刃の刃部の説明図、（ｂ）は、第二の実施形態回転刃の刃部と固定刃の刃部の説明図、（ｃ）は第二の実施形態回転刃の刃部と固定刃の刃部の説明図
【図１１】従来の固定刃の取付構造の説明図
【図１２】従来の固定刃の取付構造の説明図
【符号の説明】
【００７５】
１：破砕装置
２：受入ホッパ
３：破砕処理部
４：押込プッシャ
４ａ：アーム
５：台盤
６：破砕ロータ
６ａ：取付座
６ｂ：ボルト
６ｖ：溝
７：回転刃
７’，７’’：刃部
８：固定刃
８’，８’’：刃部
９：固定刃
９’，９’’：刃部
１０：スクリーン機構
１１：排出ホッパ
１２：固定刃支持部材
１３：取付座
１４：ボルト
１５：ボルト
１６：切り欠き
１７：ボルト穴
１８：寸切りボルト
１９：固定刃支持部材
２０：取付座
２１：切り欠き
２２：識別手段
２３：識別手段
２４：スペーサ
２５：ボルト
２６：切り欠き
２７：突起部
２８：面取り部
α：仰角
β：仰角
γ：角度
η：角度
θ：角度
δ：角度
Ｍ：電動機
【図１】
2010017638.tif 000003
【図２】
2010017638.tif 000004
【図３】
2010017638.tif 000005
【図４】
2010017638.tif 000006
【図５】
2010017638.tif 000007
【図６】
2010017638.tif 000008
【図７】
2010017638.tif 000009
【図８】
2010017638.tif 000010
【図９】
2010017638.tif 000011
【図１０】
2010017638.tif 000012
【図１１】
2010017638.tif 000013
【図１２】
2010017638.tif 000014